(57)【要約】改良されたエレベーターにおいて、その端末ピッチ（３８Ａ、３８Ｂ、３８Ｃ、および４０Ａ、４０Ｂ、４０Ｃ）が機械室なしエレベーターのベッドプレート上に取り付けられる。端末ピッチは好ましくはベッドプレートの上面に取り付けられ、アクセス容易である。さらに、調速機（８０）がベッドプレート上の巻上機の近傍に取り付けられる。好ましくは複数の端末ピッチと、かごと釣合いおもりとを連結する複数の連結部材とがある。複数の端末ピッチは好ましくは駆動綱車の回転軸に対して平行な線（ＡおよびＢ）に沿って整列する。さらに、複数の連結部材が好ましくは各々駆動綱車の表面および一対の端末ピッチと関連する。綱車表面およびこれが関連する二つの端末ピッチを通って引かれた線は回転駆動軸に対して垂直である。
2007521196.tif 000002
【特許請求の範囲】
【請求項１】
かご用ガイドレールに沿って移動可能なエレベーターかごと、
釣合いおもり用ガイドレールに沿って移動可能な釣合いおもりと、
前記のかご用ガイドレールと釣合いおもり用ガイドレールの少なくとも一つによって支持されるベッドプレートと、
前記ベッドプレートによって支持されて、前記釣合いおもりと前記かごとを連結する張力部材を駆動する巻上機とを有し、前記張力部材の両端部が端末ピッチに結合されているとともに、前記ベッドプレートが垂直方向最下面を有し、前記端末ピッチが前記垂直方向最下面の上方に延びていることを特徴とする、エレベーター。
【請求項２】
前記端末ピッチが前記ベッドプレートに取り付けられていることを特徴とする、請求項１記載のエレベーター。
【請求項３】
前記ベッドプレートは、少なくとも一つのビームによって形成され、前記端末ピッチが前記ビームの垂直方向最上部によって支持されていることを特徴とする、請求項２記載のエレベーター。
【請求項４】
前記ベッドプレートは、各々内部空間を有する一対のＣ字型のビームによって形成され、かつ少なくとも一つの前記端末ピッチが前記内部空間の内部に位置することを特徴とする、請求項２記載のエレベーター。
【請求項５】
前記ベッドプレートが前記のかご用ガイドレールと釣合いおもり用ガイドレールの両方によって支持されていることを特徴とする、請求項１記載のエレベーター。
【請求項６】
複数の前記張力部材と、これに対応する複数の端末ピッチを含むセットが二つあり、二つのセットの各々の端末ピッチが前記巻上機の回転軸に対しておおよそ平行な列をなして整列していることを特徴とする、請求項１記載のエレベーター。
【請求項７】
各々の前記端末ピッチのセットは、前記巻上機の前記回転軸の横方向両側に配置されていることを特徴とする、請求項６記載のエレベーター。
【請求項８】
前記巻上機は、複数の張力部材に係合してこれを駆動する複数の綱車表面を有する駆動綱車を有し、前記端末ピッチはこの駆動綱車の両端部によって画定される軸方向の距離の内部に配置されていることを特徴とする、請求項６記載のエレベーター。
【請求項９】
各々の前記綱車表面は、各々の前記端末ピッチのセットにそれぞれ一つ含まれる対応する端末ピッチと整列しており、かくして綱車表面の一つと、これに関連する二つの端末ピッチとを通って引かれた線が前記回転軸に対して垂直であることを特徴とする、請求項８記載のエレベーター。
【請求項１０】
前記巻上機は、複数の前記張力部材に係合してこれを駆動する複数の綱車表面を有する駆動綱車を有し、各々の前記張力部材の両端部は一対の端末ピッチに結合され、各々の前記綱車表面は対応する端末ピッチの対と整列し、かくして前記綱車表面の一つと、これが関連する二つの端末ピッチとを通って引かれた線が前記駆動綱車の回転軸に対して垂直であることを特徴とする、請求項１記載のエレベーター。
【請求項１１】
かご用ガイドレールに沿って移動可能なエレベーターかごと、
釣合いおもり用ガイドレールに沿って移動可能な釣合いおもりと、
前記のかご用ガイドレールと釣合いおもり用ガイドレールの少なくとも一つによって支持されるベッドプレートと、
前記ベッドプレートによって支持されて、前記釣合いおもりと前記かごとを連結する複数の張力部材を駆動する巻上機とを有し、前記張力部材の両端部は端末ピッチに結合されているとともに、整列した端末ピッチの二つのセットがあり、端末ピッチの各々のセットは前記巻上機の回転軸に対しておおよそ平行な列をなして前記ベッドプレートによって支持されていることを特徴とする、エレベーター。
【請求項１２】
各々の前記端末ピッチのセットは前記巻上機の前記回転軸の横方向両側に配置されていることを特徴とする、請求項１１記載のエレベーター。
【請求項１３】
前記巻上機は、複数の張力部材に係合してこれを駆動する複数の綱車表面を有する駆動綱車を有し、前記端末ピッチは前記駆動綱車の両端部によって画定される軸方向の距離の内部に配置されていることを特徴とする、請求項１１記載のエレベーター。
【請求項１４】
各々の前記綱車表面は、各々の前記端末ピッチのセットにそれぞれ一つ含まれる対応する端末ピッチと整列しており、かくして前記綱車表面の一つと、これに関連する二つの端末ピッチとを通って引かれた線が前記回転軸に対して垂直であることを特徴とする、請求項１３記載のエレベーター。
【請求項１５】
前記ベッドプレートは、前記のかご用ガイドレールと釣合いおもり用ガイドレールの両方によって支持されていることを特徴とする、請求項１１記載のエレベーター。
【請求項１６】
かご用ガイドレールに沿って移動可能なエレベーターかごと、
釣合いおもり用ガイドレールに沿って移動可能な釣合いおもりと、
前記のかご用ガイドレールと釣合いおもり用ガイドレールの少なくとも一つによって支持されるベッドプレートと、
前記ベッドプレートによって支持されて、前記釣合いおもりと前記かごとを連結する張力部材に係合してこれを駆動する駆動綱車を有する巻上機とを有し、前記張力部材の両端部は端末ピッチを介して前記ベッドプレートに結合され、
前記駆動綱車は複数の張力部材に対応する複数の綱車表面を有し、各々の前記綱車表面が対応する端末ピッチの対と軸方向で整列し、かくして前記綱車表面の一つと、これが関連する二つの端末ピッチとを通って引かれた線が前記駆動綱車の回転軸に対して垂直であることを特徴とする、エレベーター。
【請求項１７】
前記ベッドプレートは、前記のかご用ガイドレールと釣合いおもり用ガイドレールの両方によって支持されていることを特徴とする、請求項１６記載のエレベーター。
【発明の詳細な説明】
【技術分野】
【０００１】
本発明は、巻上機がベッドプレート上に取り付けられ、その端末ピッチがベッドプレートの最下面の上方に垂直に延びるようなエレベーターに関する。また端末ピッチは空間効率が高い方法で整列する。
【背景技術】
【０００２】
エレベーターは通常、かごおよび釣合いおもりを含み、これらはロープまたはベルトなどの張力部材すなわち連結部材で連結されている。巻上機が連結部材を駆動して釣合いおもりおよびかごを昇降路内で移動させる。
【０００３】
歴史的には、巻上機は機械室として知られる昇降路上部の部屋に据え付けられていた。これにはかなりの追加の空間が必要であった。近年、巻上機をかごと、対向する壁との間の空間に組み込むエレベーターが開発されている。このような配置においては、機械室が必要とされない。このような形式のエレベーターは一般に「機械室なし」エレベーターとして知られている
一つの公知の形式の機械室なしエレベーターにおいて、巻上機はベッドプレート上に取り付けられる。連結部材の端部、すなわち「端末ピッチ」はベッドプレートの底部に取り付けられる。このような提案された配置においては、端末ピッチはアクセスが容易ではない。また、端末ピッチの配置は所望のようには空間効率が高くない。
【発明の開示】
【課題を解決するための手段】
【０００４】
開示された本発明の実施例においては、機械室なしエレベーターにおいて端末ピッチがベッドプレートの最下点の上方の位置に設けられる。一つの実施例では、端末ピッチがベッドプレートの頂部に巻上機に隣接して設けられる。他の実施例では、端末ピッチがベッドプレートの内部空間に設けられる。いずれの位置でも、端末ピッチは先行技術におけるよりもアクセスが容易である。さらに、端末ピッチを垂直方向でベッドプレートの最下点の上方に取り付けることによって、空間の利用が改善され、かつ多数の追加の部品の必要がなくなる。
【０００５】
本発明の別の特徴によれば、端末ピッチは好ましくは巻上機の回転軸に平行に整列する。好ましくは端末ピッチは二列に整列し、各々の列が巻上機の回転軸に平行な線を画定する。この方法によって、釣合いおもりをかごに連結するのに用いられる張力部材すなわち連結部材がねじれる可能性が低下し、かつ空間利用の効率が向上する。
【０００６】
本発明の他の特徴によれば、連結部材を駆動する駆動綱車が各々の連結部材と関連する表面を有する。各表面は特定の連結部材の端部において、関連する端末ピッチと軸方向で整列する。綱車の表面と、これが関連する二つの端末ピッチとを通って引かれた直線は好ましくは巻上機の回転軸に垂直である。
【０００７】
本発明のこれらの、およびその他の特徴は以下の明細書および図面によって最も良く理解される。
【発明を実施するための最良の形態】
【０００８】
図１に昇降路内を移動可能なエレベータかご２２を有するエレベーター２０が図示されている。巻上機２４が、釣合いおもり２８と一緒にかご２２を駆動している。巻上機２４はベッドプレート２６に据え付けられている。ベッドプレート２６は、かご２２を案内するための一対の距離を置いたレール４２と、釣合いおもり２８を案内するための他の一対の距離を置いたレール４３との間に取り付けられている（図２参照）。レール４２および４３は通常、符号４５として示されるような連結構造で互いに連結された別体のガイドレール要素からなる。一体になった、すなわち一体型のレールもまた本発明の範囲内にある。巻上機２４と関連する綱車３０がロープまたはベルトなどの連結部材３６を駆動し、該連結部材はかご２２と関連する綱車３４、および釣合いおもり２８と関連する他の綱車３２を取り巻いて延びている。
【０００９】
知られるように、連結部材３６の両端部は端末ピッチ３８および４０に結合される。この図に概略的に図示されるように、端末ピッチ３８および４０はベッドプレート２６の上面にある。
【００１０】
図２に示されるように、レール４２および４３がベッドプレート２６を支持している。当然ながら、図１は概略的に単一の連結部材３６を示しているが、実際には数本あってもよい。ベッドプレート２６が巻上機２４、連結部材を受け入れる三つの綱車表面３０Ａ、３０Ｂ、３０Ｃを有する綱車３０、および調速機８０を支持している。綱車の表面３０Ａ、３０Ｂ、および３０Ｃは連結部材を受け入れる溝またはその他の表面であってよい。特に言えば、ベッドプレート２６は好ましくは四つのガイドレール４２および４３の全てに結合される。
【００１１】
図３はベッドプレート２６の斜視上面図であり、巻上機は省略されている。図３に示される実施例は三つの連結部材３６のそれぞれの一方の端部を結合するための三つの距離を置いた端末ピッチ３８Ａ、３８Ｂ、３８Ｃと、連結部材の反対側の端部のための他の三つの端末ピッチ４０Ａ、４０Ｂ、４０Ｃとを示している。この図からわかるように、スペーサー要素１００が端末ピッチ４０Ａ、４０Ｂ、および４０Ｃを、垂直方向で端末ピッチ３８Ａ、３８Ｂ、および３８Ｃの垂直位置よりも上方に置いている。スペーサー要素１００は好ましくはかごから最も遠く離れた端末ピッチ４０Ａ、４０Ｂ、４０Ｃを、垂直方向で上方に移動させる。巻上機２４および綱車３０は端末ピッチ４０Ａ、４０Ｂ、および４０Ｃと昇降路との間に位置する。したがって端末ピッチ４０Ａ、４０Ｂ、および４０Ｃは端末ピッチ３８Ａ、３８Ｂ、および３８Ｃより、いくらかアクセスしにくい。スペーサー１００は端末ピッチ４０Ａ、４０Ｂ、および４０Ｃを垂直方向上方に移動させて、アクセスしやすくさせる。
【００１２】
端末ピッチの構造は一般的に公知のものであり、この明細書では具体的に詳述されない。一般に知られるように、連結部材の端部は端末処理部に保持され、その位置はこの図ではベッドプレート２６の下方にある。ロッドが端末処理部から上方に延びて端末ピッチに達している。ピッチはばね、ゴムブロック、またはその他の弾性部材によって形成することができる。一般的に本発明のこれらの特徴は先行技術に知られるものと同様である。
【００１３】
これも図３に示されるように、ベッドプレートは対向するＣ字型の断面を有するビーム４６および４８で形成されている。端部プレート５０がビーム４６および４８の端部を連結している。
【００１４】
図４に示されるように、ベッドプレート２６の上面図は二つのＣ字型ビーム４６および４８の間に空間１０４があることを示している。この図に示されるように、端末ピッチ４０Ａ、４０Ｂ、および４０Ｃは線Ｂに沿って延びる列をなして整列し、端末ピッチ３８Ａ、３８Ｂ、および３８Ｃは線Ａに沿って延びる列をなして整列している。線ＡおよびＢは互いに平行であり、かつ綱車３０および綱車表面３０Ａ、３０Ｂ、および３０Ｃの回転軸に対して平行である。このようにすれば連結部材がねじれるおそれが先行技術におけるよりも低くなる。これに対して先行技術では端末ピッチおよび綱車の軸が互いにずれて位置する場合があった。さらに空間がより効率的に利用される。図に示されるように、端末ピッチは綱車表面３０Ａ、３０Ｂ、３０Ｃに関して軸方向で整列して位置する。換言すれば、モーター部分１０７と、綱車３０の軸方向で最も遠く離れた端部との間に軸方向の距離が画定される。ここに図示されるように、各々の端末ピッチ３８Ａ、３８Ｂ、３８Ｃ、４０Ａ、４０Ｂ、および４０Ｃはこの軸方向の距離の内部にある。さらに、端末ピッチ３８のうちの一つは綱車３０の表面のうちの一つおよび端末ピッチ４０のうちの一つと、好ましくは軸方向で整列している。好ましくは図４に図示されるように、３組のこのような整列したグループがある。各々のグループを通って引かれた線は綱車３０の回転軸に対して垂直である。このようにすればベッドプレートの上方の空間がより効率的に利用される。図４からわかるように、巻上機２４は拡大されたモーター部分１０７と、これと距離を置いた拡大された部分１０８とを有する。後者はブレーキおよび、駆動綱車３０を駆動する駆動シャフトを支持するベアリングの一部であってよい。綱車の外径は要素１０７または１０８ほどは大きくない。したがって端末ピッチ３８Ａ、３８Ｂ、および３８Ｃ、および４０Ａ、４０Ｂ、および４０Ｃを綱車と軸方向に整列して位置させることによって、空間利用性が向上する。調速機８０もまたベッドプレート上に支持される。
【００１５】
上述の特徴は、用いられる連結部材がいわゆる「フラットロープ」である場合に特に有用である。このような連結部材を用いるエレベーターにおいては、具体的に述べた端末ピッチの綱車表面に関する配置が、ねじれの防止等において有利である。
【００１６】
最も好ましい実施例においては、平行な線ＡおよびＢと、各々の綱車表面とその対応する端末ピッチとの軸方向の整列との、両方が組み合わされる。しかしながら、これらの特徴は互いに独立に利用されてもよい。例えば綱車表面とその対応する端末ピッチとの綱車回転軸に関する軸方向の整列が、線ＡおよびＢに沿う平行な整列なしで用いられてもよい。その代わりに端末ピッチが互いに関して千鳥配置等になっていてもよい。さらにまた、対応する連結部材に関連する綱車が巻上機の両側にあってもよい。この場合でも、上述の「平行」および「垂直」という特徴は上述の利点を提供するように組み込むことができる。
【００１７】
図５Ａに示されるように、端末ピッチ４０（および図示されない他の端末ピッチ３８）がビーム４６の上部壁６６の上面に位置している。図に示されるように、内方に延びて内部空間６４を形成しているフランジ６０および６２がＣ字型をなしている。端末ピッチはベッドプレート２６の最上面６６の上方に位置するので、端末ピッチは保守のためのアクセスが容易である。ベッドプレートに取り付けられる上述の端末ピッチが、先行技術においてはベッドプレートの下方にあり、したがってアクセスがより困難であった。
【００１８】
概略的に示されるように、そして知られるように、端末ピッチはゴムブロックまたはばね等の部分１１０を含み、これは端末処理部１１４に延びるロッド１１２を受け入れている。端末処理部１１４は連結部材３６をロッド１１２に固定している。図５Ａからわかるように、ロッドはビーム４６の孔１１６および１１８を通って延びている。
【００１９】
図５Ｂは端末ピッチ４０の類似の配置を示しており、この場合はスペーサー要素１００がブロック１１０を、図５Ａの実施例よりもいくらか垂直方向で高い位置に位置させている。この場合もゴムブロック１１０が図示されているが、当業者は他の形式の端末ピッチが利用可能であり、かつ本発明の範囲内にあることを認識するであろう。
【００２０】
図６は他の実施例を示しており、この場合は端末ピッチ４０が空間６４の内部に取り付けられている。この実施例はアクセス性がいくらか低いが、空間利用が良く、同時に端末ピッチに対する追加の保護が得られる。ヒッチは概略的に示されている。
【００２１】
図７に示される実施例においては、ベッドプレート構造１３０が、ピッチ４０および３８を支持する一対の距離を置いた側部１３２および１３４を含んでいる。図に示されるように、中央プレート部１３６が各々の側部１３２および１３４から延びている。綱車３０は中央プレート部１３６の開口部１３８および１４０を通って延びる連結部材３６を有する。二つの中央プレート部は突き合せ溶接継手１５０で接している。側部１３２および１３４に開口部１４２が形成されている。構造的な強度を与えるために端部プレートおよび補強材が用いられてよい。
【００２２】
特定のベッドプレート構造を説明したが、多くの他のベッドプレート形状および構成が本発明の範囲内であることが理解されるべきである。例えばベッドプレートは単に平坦なプレートであってもよい。
【００２３】
さらに、各々の端末ピッチの実施例がベッドプレートに取り付けられるように示されているが、ベッドプレートの垂直方向上部に取り付けられ、かつベッドプレートに結合されない端末ピッチもまた、本発明の範囲内に含まれうる。
【００２４】
本発明の好ましい実施例を開示したが、当業者は種々の改良が本発明の範囲内にあることを認識するであろう。この理由により、本発明の真の範囲および内容を判定するには請求の範囲が検討されるべきである。
【図面の簡単な説明】
【００２５】
【図１】エレベーターの概略図である。
【図２】エレベーター駆動アセンブリーの部分図である。
【図３】本発明のベッドプレートの上面図である。
【図４】一部を概略的に示した俯瞰図である。
【図５Ａ】本発明のベッドプレートの断面図である。
【図５Ｂ】別の端末ピッチを有する本発明のベッドプレートの断面図である。
【図６】端末ピッチの別の配置を示す図である。
【図７】他の実施例の断面図である。
【図１】
2007521196.tif 000003
【図２】
2007521196.tif 000004
【図３】
2007521196.tif 000005
【図４】
2007521196.tif 000006
2007521196.tif 000007
【図６】
2007521196.tif 000008
【図７】
2007521196.tif 000009
【国際調査報告】
2007521196.tif 000010